(57)【要約】      （修正有）【課題】背中など自分の手の届かない部位を確認した上で、所望の位置に膏薬や湿布薬などの貼り薬が容易に貼れる湿布薬貼付器具を提供する。【解決手段】湿布薬貼付器具１は、壁に固定して湿布薬を使用者の背中に貼り付ける器具で、湿布薬を仮留めする湿布薬仮留部１１０と、湿布薬仮留部１１０に仮留めされた湿布薬を使用者に押し付けて貼付けるための湿布薬押当部１２０とが設けられている。そして、略矩形状に形成された支持部材１０の四隅に、湿布薬仮留部１１０を保持する上部バー１１と、湿布薬押当部１２０を回動自在に軸支する下部バー１２と、壁に固定部材を保持する二本の固定バー１３、１４とが、略矩形状に形成された面に対して垂直に備える。【選択図】図１
0003201196.tif 000002
【実用新案登録請求の範囲】
【請求項１】
壁に固定して湿布薬を使用者の背中に貼り付ける湿布薬貼付器具であって、  
前記湿布薬を仮留めする湿布薬仮留部と、
前記湿布薬仮留部に仮留めされた前記湿布薬を前記使用者に押し付けて貼付けるための湿布薬押当部とが設けられ、
略矩形状に形成された支持部材の四隅に、前記湿布薬仮留部を保持する上部バーと、前記湿布薬押当部を回動自在に軸支する下部バーと、前記壁に固定部材を保持する二本の固定バーとが、前記略矩形状に形成された面に対して垂直に備える湿布薬貼付器具。
【請求項２】
前記湿布薬押当部は、円筒体で形成されることを特徴とする請求項１に記載の湿布薬貼付器具。
【請求項３】
前記湿布薬押当部は、前記円筒体の内部に、二枚の円盤と、該二枚の円盤の間に中芯体と、締め付け部材とを備え、さらに前記二枚の円盤と前記中芯体との間には間隙を設け、前記締め付け部材で前記二枚の円盤を前記中芯体に挟持させると、前記円筒体は前記下部バーに固定されることを特徴とする請求項２に記載の湿布薬貼付器具。
【請求項４】
前記上部バーと前記下部バーとの間に中間バーを備え、該中間バーは前記湿布薬押当部を回動自在に軸支することを特徴とする請求項１ないし３のいずれか１項に記載の湿布薬貼付器具。
【請求項５】
さらに、前記中間バーと前記下部バーとの間に補助バーを備えることを特徴とする請求項４に記載の湿布薬貼付器具。
【請求項６】
前記湿布薬押当部は、前記円筒体の内部に、二枚の円盤と、該二枚の円盤の間に中芯体と、締め付け部材とを備え、さらに前記二枚の円盤と前記中芯体との間には間隙を設け、前記締め付け部材で前記二枚の円盤を前記中芯体に挟持させると、前記円筒体は前記中間バーに固定されることを特徴とする請求項３ないし５のいずれか１項に記載の湿布薬貼付器具。
【請求項７】
前記湿布薬仮留部は、円筒体で形成され、前記上部バーに回動自在に軸支されることを特徴とする請求項１ないし６のいずれか１項に記載の湿布薬貼付器具。
【請求項８】
前記湿布薬仮留部は凹部又は凸部又はそれらの両方を備えることを特徴とする請求項１ないし７のいずれか１項に記載の湿布薬貼付器具。
【請求項９】
前記支持部材は、棒状又はパイプ状の金属で形成された枠体であることを特徴とする請求項１ないし８のいずれか１項に記載の湿布薬貼付器具。
【請求項１０】
前記支持部材は、平板であることを特徴とする請求項１ないし８のいずれか１項に記載の湿布薬貼付器具。
【考案の詳細な説明】
【技術分野】
【０００１】
本考案は、膏薬や湿布薬等の貼り薬又は塗り薬を、自分の手の届かない部位に貼ったり塗ったりするための器具に関する。
【背景技術】
【０００２】
高齢者は、貼り薬を使用する機会が多いが、身体が硬く、背中に膏薬や湿布薬を貼りたくとも貼れない場合がある。このように、背中や腰など、自分の手の届かない部位に膏薬や湿布薬等の貼り薬を貼る場合や、塗り薬を塗る場合は、家族等他人の手を借りて処置することになる。しかし、一人暮らしをしている高齢者や体に不自由を抱える人は、人の手を借りることができない。
【０００３】
湿布薬貼付器具は、種々提案されており、概して平板状のもの、孫の手を応用したもの、ローラが取り付けられたものに分類される。特許文献１に係る湿布薬貼付器具は、平板状の器具であり、面ファスナーを用いて湿布薬を粘着固定する湿布保持板と湿布を背中に押し付け貼付するための湿布押圧板にそれぞれ１本ずつハンドルを取り付けて支転軸と捻りバネを介して連結させ、そのハンドルを操作することにより湿布保持板と湿布押圧板を開閉し、湿布の装着と貼付を行うものである。また、特許文献２に係る器具は多用途の孫の手として、孫の手の先端に回転体を設け，その回転体の周囲に各種の作用器具を取付け，目的に応じて回転体を回して作用器具の位置を合わせる事が出来るようにするとともに，背中掻きのためには，皮膚の状態に応じた形状や材料を選択可能にし，薬剤の塗布や薬剤を塗付したシ−トを張り付け可能にしている。
【０００４】
一方、特許文献３ないし６は、いずれもローラが取り付けられた機器が紹介されている。特許文献３に係る器具は、湿布を押さえローラと送りベルトの間をまたぐ方法で装着すると、押さえローラが回転するとき、湿布は押さえローラの回転とともに押さえローラの外周を沿うように降り、送りベルトとの間に自ら粘着面を出して背中に貼り付いていく。簡単な操作で、コンパクトな背中湿布薬貼付器具を提供できるとともに、柄を長くしていることで、背掻き兼湿布剥がし具、タオルクリップを取り付けることができ、多目的な背中ケアー用品として活用可能としている。特許文献４に係る器具は、把手を設けた支持フレームと、支持フレームに架設されたベルトプーリとで構成され送り出し側の先端を小径アール部としたベルト案内部材と、無端状の形態でベルト案内部材に周回自在に取り付けられ、表面が貼り薬の貼着面から容易に剥離する易剥離構造であり、且つ、駆動ローラにより周回駆動する送りベルトと、送りベルトの送り出し側に対向位置するローラ状の押さえ部材とからなる。そして、先ず送りベルトの表面に貼り薬の貼着面を当てて貼り付け、次に支持フレームを背中に当てながら移動させると送りベルトが周回し、それによって貼り薬が送り出し側に送られ、最終的に押さえ部材で背中に押し付けられるようにしている。特許文献５に係る器具は、ローラの表面に面テープと粘着テープを交互に付着させたものに、テープ剤及びシップ薬等の裏面を指圧し、シップ薬等を仮止めし、ローラの回転により手の届きにくい場所にテープ剤・シップ薬等を身体に貼り付けるようにしている。特許文献６に係る器具は、先端部がＵ字状に形成されてなるホルダの該Ｕ字状部に屈曲部を設け、該Ｕ字状部の内側にガイドローラ、前部粘着用ローラ、押圧用ローラ、湿布薬案内ローラ、後部粘着用ローラを取り付ける。さらに、ホルダに中空部を設け、この中へ、湿布薬剥し具を挿入して付属したローラ式湿布薬貼付具としている。
【０００５】
また、特許文献７ないし９は、いずれも孫の手にローラが取り付けられた機器が紹介されている。特許文献７に係る器具は、柄の先端部に保持枠を設け、その内部に回転軸を解してローラを回動自在に取り付け、前記保持枠の後壁をローラの外周接線延長上に傾斜させて形成し、その下部に支点軸を介して固定板を開閉自在に取り付けたものである。特許文献８に係る器具は、ホルダの基端側に把持部が設けられ、先端にこれと直交して２本のローラが平行に取付けられ、両ローラが近接して配置され、ローラの間に湿布薬を通して、ホルダを持って粘着面を背中に押し付けながら引き上げることによりローラが回転して、湿布薬を背中に貼ることができるようになっている。特許文献９に係る器具は、孫の手の柄の握手部分に回転自在な円筒形のローラと、そのローラを支持する外周ケースとを設け、背中に対してローラが密着するよう本体に適度な角度をつけており、保護シートを剥離した湿布薬の裏面でローラの外周に添わせ、湿布薬表面の粘着性を利用して外周ケース上下内側に当該湿布薬の両端を仮止めする。ローラを背中などの患部に当て上下に移動回転させることで、人手を借りずに容易に湿布薬を貼ることができる。また、患部を正確に特定するため、コの字状から成る突起物をローラ支持軸部両端に設けている。
【先行技術文献】
【特許文献】
【０００６】
【特許文献１】特開２００５−２０４７０５号公報
【特許文献２】特開平１０−７５９８６号公報
【特許文献３】特開２０１３−２４４１１５号公報
【特許文献４】特開平７−２９９１４７号公報
【特許文献５】特開２００６−３４６０７８号公報
【特許文献６】特開２００１−２９９９３３号公報
【特許文献７】特開２００２−３６９８４３号公報
【特許文献８】特開平１０−５７４１６号公報
【特許文献９】特開２００９−２０１９５７号公報
【考案の概要】
【考案が解決しようとする課題】
【０００７】
しかしながら、上述した器具では背中の起伏に対応することができず、湿布薬の粘着面が器具や所望しない位置に貼り付けられたり、所望する位置に貼り付けられたとしても粘着面同士がくっついたりして、実際には上手く機能していないのが現状である。
【０００８】
本考案は、上記問題に鑑みなされたもので、その目的は、背中など自分の手の届かない部位を確認した上で、所望の位置に膏薬や湿布薬などの貼り薬が容易に貼れるようにすることを課題とする。
【課題を解決するための手段】
【０００９】
本考案に係る湿布薬貼付器具は、壁に固定して湿布薬を使用者の背中に貼り付ける湿布薬貼付器具であって、湿布薬を仮留めする湿布薬仮留部と、湿布薬仮留部に仮留めされた湿布薬を使用者に押し付けて貼付けるための湿布薬押当部とが設けられている。そして、略矩形状に形成された支持部材の四隅に、湿布薬仮留部を保持する上部バーと、湿布薬押当部を回動自在に軸支する下部バーと、壁に固定部材を保持する二本の固定バーとが、略矩形状に形成された面に対して垂直に備える。なお、湿布薬押当部は、ローラとして使用できる円筒体で形成されると好適である。また、湿布薬仮留部は、円筒体で形成され、上部バーに回動自在に軸支されるようにしてもよい。さらに、湿布薬仮留部は凹部又は凸部又はそれらの両方を備えるような構成にすると、仮留めした湿布薬を剥がしやすくなる。支持部材は、棒状又はパイプ状の金属で形成された枠体で形成してもよいし、平板で形成してもよい。
【００１０】
湿布薬押当部は、前述した円筒体の内部に、二枚の円盤と、該二枚の円盤の間に中芯体と、締め付け部材とを備え、さらに二枚の円盤と中芯体との間には間隙を設け、締め付け部材で二枚の円盤を中芯体に挟持させると、円筒体は下部バーに固定される機構にすると、軟膏を塗るのに便利である。
【００１１】
本考案の別の湿布薬貼付器具は、上部バーと下部バーとの間に中間バーを備え、該中間バーは湿布薬押当部を回動自在に軸支するように構成してもよい。  さらに、中間バーと下部バーとの間に補助バーを備えるように構成すると、湿布薬が跳ね上がったり、円筒体に巻き込まれたりするのを防止することができる。
【００１２】
さらに、湿布薬押当部は、円筒体の内部に、二枚の円盤と、該二枚の円盤の間に中芯体と、締め付け部材とを備え、さらに二枚の円盤と中芯体との間には間隙を設け、締め付け部材で二枚の円盤を中芯体に挟持させると、円筒体は中間バーに固定されるように構成してもよい。
【考案の効果】
【００１３】
本考案の湿布薬貼付器具は、背中など自分の手の届かない部位で所望の位置に自由に貼り薬やカイロを貼り付けることができる。これにより、単身赴任などでの一人暮らしや、独居高齢者の生活をより快適にすることができる。さらに、湿布薬押当部をローラとした場合、ローラの外周に塗り薬を塗ることにより、利用者自身の手の届かない所望の場所に使用者自身で膏薬のみならず塗り薬を刷り込むことができる。
【図面の簡単な説明】
【００１４】
【図１】本考案の実施例１に係る湿布薬貼付器具１の全体構成を示す斜視図である。
【図２】実施例１に係る湿布薬貼付器具１の左側面図（ａ）、右側面図（ｂ）である。
【図３】本考案の実施例１に係る湿布薬貼付器具１の使用方法を示す図である。
【図４】本考案の実施例１に係る湿布薬貼付器具１の使用方法を示す図である。
【図５】本考案の実施例１に係る湿布薬貼付器具１の使用手順を示す図である。
【図６】湿布薬貼付器具１のローラ１２０の内部機構を模式的に示す図である。
【図７】本考案の実施例２に係る湿布薬貼付器具２の全体構成を示す斜視図である。
【図８】実施例２に係る湿布薬貼付器具２の左側面図（ａ）、右側面図（ｂ）である。
【図９】本考案の実施例２に係る湿布薬貼付器具２の使用方法を示す図である。
【図１０】本考案の実施例２に係る湿布薬貼付器具２の使用手順を示す図である。
【考案を実施するための形態】
【００１５】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１６】
実施例１を図面を参照して詳細に説明する。
【００１７】
図１は、本考案の実施例１に係る湿布薬貼付器具１の全体構成を示す斜視図である。図１に示すとおり、本考案の湿布薬貼付器具１は、略矩形状の支持部材１０と、支持部材１０の四隅に略矩形面に対して垂直に取り付けられた上部バー１１、下部バー１２、固定バー１３、１４と、さらに上部バー１１に設けられ湿布薬Ｓを仮留めする湿布薬仮留部１１０と、下部バー１２に設けられ該仮留めした湿布薬Ｓを所望の位置に押圧する湿布薬押当部１２０とを備える。また、固定バー１３、１４にはそれぞれ、固定部材１５ａ、１５ｂ、１５ｃ、１５ｄを備える。実施例１において、後述するとおり、固定部材１５ａ、１５ｂ、１５ｃ、１５ｄは塩化ビニール製の吸盤で横穴型式のものを使用しているが、これに限定されず、湿布薬貼付器具１を冷蔵庫等の鉄板に取り付ける場合には、吸着力の磁石等を用いてもよい。なお、湿布薬押当部１２０は下部バー１２を支軸として回動自在に枢着しているので、使用者Ｕは自身の背中の上下動により、湿布薬Ｓを所望の位置に貼着することができる。
【００１８】
図２を参照する。図２は、実施例１に係る湿布薬貼付器具１の左側面図（ａ）、右側面図（ｂ）である。図２（ａ）に示すとおり、支持部材１０は、棒状部材を溶接等して台形状にしているが、棒状部材を曲折して形成してもよいし、板状部材で形成してもよい。図２（ａ）においては、固定バー１３、１４（図に示していない）はそれぞれ固定部材１５ａ、１５ｃを備えていることが確認できる。図２（ｂ）を参照すると、支持部材１０は一方の上端に上部バー１１を備え、上部バー１１には円筒状の部材を回動自在に嵌め込んで湿布薬仮留部１１０を形成している。また、支持部材１０は一方の下端に下部バー１２を備え、下部バー１２にローラを回動自在に嵌め込んだ湿布薬押当部１２０を形成している。なお、湿布薬押当部１２０は、蝶ナット１２４と緩み止めナット１２５を備え、軸となる下部バーに固定することができる。固定機構については、後述する。図２（ｂ）においては、固定バー１３、１４はそれぞれ固定部材１５ｂ、１５ｄを備えていることが確認できる。
【００１９】
図３、４を参照する。図３、４は、本考案の実施例１に係る湿布薬貼付器具１の使用方法を示す図である。まず、使用者Ｕは、所望の壁等に固定部材１５ａ、１５ｂ、１５ｃ、１５ｄで湿布薬貼付器具１を固定するとよい。このとき、上側の固定部材１５ａ、１５ｃの高さと、使用者Ｕの背中の貼りたい位置の高さとを合わせて湿布薬貼付器具１を固定する。湿布薬貼付器具１が固定されたら、湿布薬Ｓの上半分のフィルムを剥がし、湿布薬仮留部１１０に軽く貼り付ける。貼った後、下半分のフィルムを剥がす。所望の湿布薬Ｓの上端を粘着面を上向きにして湿布薬仮留部１１１に仮留めする。そうすると、非粘着面の下部が湿布薬押当部１２０の外周にもたれかかり、湿布薬Ｓの下端は自重で垂れ下がる状態になる。
【００２０】
図５を参照する。図５は、本考案の実施例１に係る湿布薬貼付器具１の使用手順を示す図である。図５（ａ）は図３と同一状態を示す。図５（ｂ）は、使用者Ｕが湿布薬貼付器具１に背中を押し当てた状態を示している。次に、使用者Ｕは湿布薬Ｓの上部を背中に貼るために、膝を曲げて体を下に下げる（図５（ｃ））。約７ｃｍ膝を曲げると、湿布薬押当部１２０であるローラがゆっくり背中の下方向に転がり、湿布薬Ｓの上半分を貼ることができる。次に、曲げた膝を延ばして元に戻る（図５（ｄ））。そして、今度は約７ｃｍ上に背伸びをすると、湿布薬押当部１２０であるローラがゆっくり背中の上方向に転がり、湿布薬Ｓは使用者Ｕの背中に貼着される（図５（ｅ））。
【００２１】
図６を参照する。図６は、湿布薬貼付器具１の湿布薬押当部１２０の内部機構を模式的に示す図である。湿布薬押当部１２０は、外筒となるべき円筒部材であるが、内部には中芯体１２３と、中芯体１２３を挟持するための円盤１２１、１２２とを備える。湿布薬押当部１２０は、前述したとおり、下部バー１２に円筒状の部材を回動自在に嵌め込んだ部材である。下部バー１２は先端部分にねじ切りが形成され、蝶ナット１２４と緩み止めナット１２５で締めたり緩めたりして、下部バーに固定したり、回動自在にしたりすることができる。また、下部バーの所定の箇所に円盤１２ａが固定されている。図６（ａ）を参照する。図６（ａ）は、湿布薬押当部１２０が下部バー１２に回動自在な状態を示す図である。図６（ａ）に示すとおり、中芯体１２３と、これを挟む円盤１２１、１２２との間には間隙Ｋが存在する。そのため、軸となる下部バー１２に対して湿布薬押当部１２０は固定されることなく、回動自在である。図６（ｂ）を参照する。図６（ｂ）は、湿布薬押当部１２０が下部バー１２に固定された状態を示す図である。下部バー１２の先端に備える蝶ナット１２４と緩み止めナット１２５を締めると、一方の円盤１２１が中芯体１２３を湿布薬押当部１２０の内側方向に押圧する。そうすると、前述した間隙Ｋは失われ、円盤１２１、１２２が中芯体１２３を挟持する。このとき、下部バーの円盤１２ａもワッシャーＷを介して円盤１２２に固定される。
【００２２】
このような内部機構により、湿布薬押当部１２０は下部バー１２に固定され回動しない状態になると、湿布薬Ｓの代わりに軟膏を塗ることができる。すなわち、固定された湿布薬押当部１２０に軟膏を塗り、使用者Ｕは背中を押し当て、背伸びをしたり膝を曲げたりの繰り返しで軟膏を塗り広げることができるのである。
【実施例２】
【００２３】
実施例２を図面を参照して詳細に説明する。なお、実施例２は、実施例１の変形形態であって、中間バー２７と湿布薬押当部２７０、さらに補助バー２６を備えている。なお、湿布薬押当部２２０、２７０の構成については、実施例１と同様であるので、説明は省略する。
【００２４】
図７は、本考案の実施例１に係る湿布薬貼付器具２の全体構成を示す斜視図である。図７に示すとおり、本考案の湿布薬貼付器具２は、略矩形状の支持部材２０を備える。支持部材２０は、実施例１に係る支持部材１０の平行する二辺において短辺側が延伸して他方の辺よりも長い台形形状となっている。この支持部材２０に略矩形面に対して垂直に取り付けられた上部バー２１、下部バー２２、固定バー２３、２４、補助バー２６、中間バー２７と、さらに上部バー２１に設けられ湿布薬Ｓを仮留めする湿布薬仮留部２１０と、下部バー２２に設けられ該仮留めした湿布薬Ｓを所望の位置に押圧する湿布薬押当部２２０と、中間バー２７に設けられ該仮留めした湿布薬Ｓを所望の位置に押圧する湿布薬押当部２７０とを備える。また、固定バー２３、２４にはそれぞれ、固定部材２５ａ、２５ｂ、２５ｃ、２５ｄを備える。実施例２においても、実施例１と同様に固定部材２５ａ、２５ｂ、２５ｃ、２５ｄは塩化ビニール製の吸盤で横穴型式のものを使用しているが、これに限定されず、湿布薬貼付器具２を冷蔵庫等の鉄板に取り付ける場合には、吸着力の磁石等を用いてもよい。なお、湿布薬押当部２２０、２７０はそれぞれ下部バー２２、中間バー２７を支軸として回動自在に枢着しているので、使用者Ｕは自身の背中の上下動により、湿布薬Ｓを所望の位置に貼着することができる。
【００２５】
図８を参照する。図８は、実施例２に係る湿布薬貼付器具２の左側面図（ａ）、右側面図（ｂ）である。図８（ａ）に示すとおり、支持部材２０は、棒状部材を溶接等して台形状にしているが、棒状部材を曲折して形成してもよいし、板状部材で形成してもよい。図８（ａ）においては、固定バー２３、２４（図に示していない）はそれぞれ固定部材２５ａ、２５ｃを備えていることが確認できる。図８（ｂ）を参照すると、支持部材２０は一方の上端に上部バー２１を備え、上部バー２１には円筒状の部材を回動自在に嵌め込んで湿布薬仮留部２１０を形成している。また、支持部材２０は上部バーの下方の中間位置に中間バー２７を備え、中間バー２７にローラを回動自在に嵌め込んだ湿布薬押当部２７０を形成している。さらに、中間バー２７の下方には補助バー２６、支持部材の一方の下端に下部バー２２を備え、下部バー２２にローラを回動自在に嵌め込んだ湿布薬押当部２２０を形成している。なお、湿布薬押当部２２０、２７０は、蝶ナット２２４、２７４と緩み止めナット２２５、２７５を備え、それぞれ軸となる下部バー２２、中間バー２７に固定することができる。固定機構については、実施例１と同様であるので、説明を省略する。図８（ｂ）においては、固定バー２３、２４はそれぞれ固定部材２５ｂ、２５ｄを備えていることが確認できる。
【００２６】
図９を参照する。図９は、本考案の実施例２に係る湿布薬貼付器具２の使用方法を示す図である。まず、使用者Ｕは、所望の壁等に固定部材２５ａ、２５ｂ、２５ｃ、２５ｄで湿布薬貼付器具２を固定するとよい。このとき、上側の固定部材２５ａ、２５ｃの高さと、使用者Ｕの背中の貼りたい位置の高さとを合わせて湿布薬貼付器具２を固定する。湿布薬貼付器具２が固定されたら、湿布薬Ｓの上半分のフィルムを剥がし、湿布薬仮留部２１０に軽く貼り付ける。貼った後、下半分のフィルムを剥がす。所望の湿布薬Ｓの上端を粘着面を上向きにして湿布薬仮留部２１１に仮留めする。そうすると、非粘着面の下部が湿布薬押当部２２０、２７０の外周にもたれかかり、湿布薬Ｓの下端は自重で垂れ下がる状態になる。
【００２７】
図１０を参照する。図１０は、本考案の実施例２に係る湿布薬貼付器具２の使用手順を示す図である。図１０（ａ）は初動状態である。図１０（ｂ）は、使用者Ｕが湿布薬貼付器具２に背中を押し当てた状態を示している。次に、使用者Ｕは湿布薬Ｓの上部を背中に貼るために、膝を曲げて体を下に下げる（図１０（ｃ））。約７ｃｍ膝を曲げると、湿布薬押当部２７０、２２０であるローラがゆっくり背中の下方向に転がり、湿布薬Ｓの上半分を貼ることができる。次に、曲げた膝を延ばして元に戻る（図１０（ｄ））。次に、約１〜２ｃｍ上に背伸びをすると、湿布薬押当部２７０、２２０であるローラがゆっくり背中の上方向に転がり、湿布薬Ｓは使用者Ｕの背中に貼着される。
【００２８】
市販されている一般的な湿布薬は、通常サイズ、ミニサイズ、ビッグサイズ等大きさが異なり、湿布薬以外にカイロについても、通常サイズ、ミニサイズと種々である。湿布薬の通常サイズは概ね幅１０ｃｍ×長さ１４ｃｍ、ミニサイズは幅７ｃｍ×長さ１０ｃｍである。カイロの場合、通常サイズは幅９．５ｃｍ×長さ１３ｃｍ、ミニサイズは幅６．５ｃｍ×長さ１０ｃｍである。本考案に係る湿布薬貼付器具２の寸法は上述した一般的な湿布薬の大きさに対応すべく構成されている。実施例２においては、上部バー２１から、中間バー２７に設けられた湿布薬押当部２７０において湿布薬Ｓがもたれかかる位置までの距離を略７ｃｍとし、さらに中間バー２７に設けられた湿布薬押当部２７０において湿布薬Ｓがもたれかかる位置から、下部バー２２に設けられた湿布薬押当部２２０において湿布薬Ｓがもたれかかる位置までの距離を略６ｃｍとする。また、補助バー２６は、中間バー２７から略２．５ｃｍ下方に配置されている。
【００２９】
上述した寸法の湿布薬貼付器具２に通常サイズの湿布薬Ｓを使用すると、湿布薬押当部２２０の下方に湿布薬Ｓの下端が略１ｃｍはみ出す状態となる。この場合、使用者Ｕは膝を曲げて身体を下げることにより、湿布薬Ｓの上部分を湿布薬押当部２７０によって、他方、湿布薬Ｓの下部分は湿布薬押当部２２０によって、背中の所望位置に貼り付けられる。そして、湿布薬押当部２２０の下方に湿布薬Ｓの下端が略１ｃｍはみ出した部分は、使用者Ｕが膝を伸ばしさらに背伸びをすることにより、背中の所望位置に貼り付けることができ、貼付けが完了する。なお、通常サイズのカイロを使用する場合は、カイロの下端が、湿布薬押当部２２０の外周にもたれかかった状態となる。つまり、通常サイズの湿布薬Ｓやカイロを使用する場合、湿布薬Ｓやカイロの下端が湿布薬押当部２２０の上方で跳ね上がったり、巻き込まれたりすることなく、スムーズに背中の所望の場所に貼り付けられる。
【００３０】
また、上述した寸法の湿布薬貼付器具２にミニサイズの湿布薬Ｓ又はミニサイズのカイロを使用すると、ミニサイズの湿布薬Ｓ又はミニサイズのカイロの下端は補助バーから下方に略０．５ｃｍはみ出す状態となる。つまり、使用者Ｕが背中を湿布薬押当部２７０に押し付けたとき、補助バー２６の存在により、湿布薬Ｓやカイロの下端が湿布薬押当部２７０の外周に沿って跳ね上がったり、巻き込まれたりすることなく、スムーズに背中の所望の場所に貼り付けられる。
【００３１】
以上、本考案に係る湿布薬貼付器具における好ましい実施形態を図示して説明してきたが、本考案の技術的範囲を逸脱することなく種々の変更が可能であることは理解されるであろう。
【産業上の利用可能性】
【００３２】
本考案に係る湿布薬貼付器具は、構造が簡易で、高齢者等にとって使用も容易であるので、家庭用として広く利用することができる。
【符号の説明】
【００３３】
１  ２  湿布薬貼付器具
１０  ２０  支持部材
１１  ２１  上部バー
１１０  ２１０  湿布薬仮留部
１２  ２２  下部バー
１２０  ２２０  湿布薬押当部
１２１  １２２  円盤
１２３  中芯体
１２４  ２２４  蝶ナット
１２５  ２２５  緩み止めナット
１３  １４  ２３  ２４  固定バー
１５ａ  １５ｂ  １５ｃ  １５ｄ  固定部材
２５ａ  ２５ｂ  ２５ｃ  ２５ｄ  固定部材
２６  補助バー
２７  中間バー
２７０  湿布薬押当部
Ｕ  使用者
Ｓ  湿布薬
Ｋ  間隙
【図１】
0003201196.tif 000003
【図２】
0003201196.tif 000004
【図３】
0003201196.tif 000005
【図４】
0003201196.tif 000006
【図５】
0003201196.tif 000007
【図６】
0003201196.tif 000008
【図７】
0003201196.tif 000009
【図８】
0003201196.tif 000010
【図９】
0003201196.tif 000011
【図１０】
0003201196.tif 000012